(57)【特許請求の範囲】
【請求項１】
少なくとも２つの対向エッジを区画する外縁と、該外縁の少なくとも２つの対向エッジの周りのシートほぞ要素とを有するシート（１４）のための取付装置であって、
シートの外縁の２つの対向エッジの一方を保持するための第１伸長フレーム部材と、
該第１伸長フレーム部材に対して平行である第２伸長フレーム部材であって、第１伸長フレーム部材から離れる方向に向かう係合面（３０）と、第１伸長フレーム部材から離れる方向に向かうフレームレール面（３４）とを備えた第２伸長フレーム部材（２２、２４）と、
第２伸長フレーム部材（２２、２４）と結合される伸長リテイナーであって、係合面（３０）と連動し係合する状態に位置決め可能な伸長リテイナー連動面（４２）と、シート（１４）の２つの対向エッジの他方と係合する伸長リテイナーほぞ孔と、伸長リテイナー上のリテイナーレール面であって伸長リテイナー連動面（４２）が係合面（３０）と係合した時にフレームレール面（３４）から隔てられる方向に向かうリテイナーレール面（４６）とを備えた伸長リテイナー（３６）とを有する、取付装置。
【請求項２】
更に、第２伸長フレーム部材（２２、２４）に沿って可動でありかつフレームレール面（３４）とリテイナーレール面（４６）とに係合可能なピンチを備えたツール（５０）を有する、請求項１記載の取付装置。
【請求項３】
少なくとも２つの対向エッジを区画する外縁と、該外縁の少なくとも２つの対向エッジの周りのシートほぞ要素とを有するシートのための取付方法であって、
２つの対向エッジの一方を保持するための第１伸長フレーム部材と、該第１伸長フレーム部材に対して平行である第２伸長フレーム部材（２２、２４）と、伸長リテイナー（３６）とを含む取付装置であって、第２伸長フレーム部材（２２、２４）は少なくとも１つの係合面（３０）とフレームレール面（３４）とを有し、伸長リテイナー（３６）は少なくとも１つの係合面（３０）と係合する連動面（４２）と、２つの対向エッジの他方のためのシートほぞ要素を受け入れるほぞ孔と、フレームレール面（３４）から離れる方向に向かうリテイナーレール面（４６）とを備えた、取付装置を用いる取付方法にして、
２つの対向エッジの一方のためのシートほぞ要素を第１伸長フレーム部材内に保持するステップと、
２つの対向エッジの他方のためのシートほぞ要素を伸長リテイナー（３６）のほぞ孔内に配置するステップと、
第２伸長フレーム部材（２２、２４）上のフレームレール面（３４）と、伸長リテイナー（３６）上のリテイナーレール面（４６）とを伸長リテイナー（３６）に沿って次第にかつ連続的に締めつけるステップと、
フレームレール（３２）とリテイナーレール（４４）とを互いに相手側へ次第にかつ連続的に締めつけてシート（１４）を緊張状態にすると同時に連動面（４２）を少なくとも１つの係合面（３０）と係合するように動かすステップとを有する取付方法。
【発明の詳細な説明】
【０００１】
（技術分野）
広告及び他の情報は、ビルボード、トラックパネル及びそれと同様なものに置かれる大きなシートに、しばしば一時的に公開される。上記シート材料のうちの１形態は、張力のかかったビニールシートである。そのようなシートは、シートにＲＦ溶接されたより剛直なプラスチックボーダー上に印刷されるとともに、該ボーダーによって囲まれる。該ボーダーは代表的に、大きなビードを含み、断面は円形であり、据えつけフレームに付随したＣ形状のほぞ孔に協働するほぞとして作用する。
【０００２】
装着フレームは、複数の形状を取り得る。シートを引っ張る能力、及び張力がかけられ、しわのない状態で保持する能力は、価値がある。最初にシートを所定位置に固定し、その後中心からはずれたボルト及びそれと同様なものを介して張力を適用する機構が用いられてきた。
【０００３】
（発明の概要）
本発明は、シートの周縁の少なくとも１部分の周りに、ほぞ及びほぞ孔要素を有するシート用の取付装置に関連している。該取付装置は、互いに平行で、互いにずれている２又はそれより多い伸長フレーム部材を含む。伸長フレーム部材の少なくとも１つは、他の伸長フレーム部材から離れて面する係合面を含む。伸長リテイナーは係合面を有する伸長フレーム部材の各々と結合せしめられる。伸長リテイナーは、係合面と連動して噛み合わされるように配置される連動面を有する。伸長リテイナーほぞ及び該伸長リテイナー上のほぞ孔要素は、シートを保持するためのシートほぞ及びほぞ孔要素と係合する。
【０００４】
本発明の第１の別の局面において、周縁の周りのほぞ付きのシートを取付ける工程は、伸長リテイナー内にシートの対向端部にあるシートのほぞを配置し、フレーム部材の係合面と伸長リテイナーのうちの１つの連動面とを係合させ、シートの反対側で伸長リテイナーの長さに沿って、次第に、近接した伸長フレーム部材と伸長リテイナーとを締め付け、これにより、関連する係合面及び連動面をシートがぴんと張った状態で、係合させるようにすることを含む。
【０００５】
本発明の第２の別の局面において、第１の局面は、ピンチで互いにずらされた少なくとも２つのピンチローラーを有するツールによって補足される。該ピンチは、調節可能であり、隣接するフレームレール面及びリテイナーレール面を受け入れて、シートに張力を引き込み、係合面とともに、連動面を位置付ける。
【０００６】
本発明の第３の別の局面において、伸長フレーム部材のうち少なくとも１つは、互いに平行な複数の係合面を有する。連動面は、係合面のいずれとも連動して噛み合うことができる。これによって、異なるシートサイズの適用が可能である。
【０００７】
本発明の第４の別の局面において、１又はそれより多い係合面は、それぞれ伸長リブの側面に配置される。１又はそれより多いリブは、フレーム部材から外側に延びるとともに、対向する伸長フレーム部材から離れる向きに角度を成す。伸長リテイナー上の連動面は、係合面と連動するように、伸長フランジの側面に配置される。
【０００８】
本発明の第５の別の局面において、前述した別の局面のいずれもが、シート用の取付装置を補足するために組合され得る。
【０００９】
従って、改良されたシート取付装置を提供することが本発明の目的である。他の更なる目的及び利点は以下に明らかにされる。
【００１０】
図面の詳細を見てみると、図１は、トラックを取付装置が固定される支持体として説明している。取付装置はトラック１２の側面パネル１０に取付けられている。シート１４はパネル１０に据付けられている。シート１４は、その上にプリントされ、取付けの際に張力をかけることができるビニールであることが意図される。シート１４は周辺境界で終わり、当該周辺境界は、図５に最もよく示されるように、ストリップ１６で画定されており、ストリップは取付プレート１８とビード２０とで構成され、ビードは断面がほぼ円状で、好ましくは取付プレート１８に対してオフセットしている。このオフセットは添付プレート１８をビード２０に接して配置している。ビード２０は下に述べられているようにシート取付けの際のほぞとして機能している。このオフセットはシートを支持体の方に引き寄せている。取付プレート１８はシート材料にＲＦ溶接されている。その他の溶接技術も同様に適用可能である。
【００１１】
図１の中で２組のフレーム部材が長方形の取付装置を区画するために示されている。最初の１組の伸長フレーム部材２２は水平に配置され、フレーム部材２２は互いに平行で位置が離れている。第２組の伸長フレーム部材２４は垂直に配置され、これも互いに平行で位置がずれている。便宜上、フレーム部材２２と２４は方向と長さを除けばまったく同一の押出成型品である。これらのフレーム部材２２と２４はセルフタッピンねじ、ボルト、ナットまたは同様の共用締め具でトラック１２の側面パネル１０に簡単に取り付けられる。部品は押出成型品であるので、それぞれの部品の端面図の形状は構成物の全長に反映している。
【００１２】
伸長フレーム部材２２と２４はそれらの片側から伸びている平行な伸長リブ２８付きの基板２６を含んでいる。リブ２８は２６の面に対して９０度の角度であるが、別の適切な形状をもって同等に固定することができる。これらの係合面３０は、基板２６に向かって角度が付いている各リブ２８の側面に設けられている。これらの係合面３０はさらに連動を高めるように、アンダーカット部分を有するものと示されている。伸長フレーム部材２２と２４は、また、フレームレール面３４を有するフレームレール３２を含んでいる。フレームレール面３４の外側部分は、この実施例では基板２６の面から９０度の角度を成しているように示されている。フレームレール面３４は、ほぼ、係合面３０と同じ方向に向いている。
【００１３】
伸長フレーム部材２２と２４は上に述べられているように、セットで配置されている。フレーム部材２２と２４はそれぞれ、伸長フレーム部材２２、２４の係合面３０とフレームレール面３４が同じ対の他の伸長フレーム部材２２、２４から離れるように方向付けられる。このように、伸長フレーム部材２２、２４はトラック１２の側面パネル１０に配置され、それにより２つの水平なフレーム部材２２は、フレームレール３２が上方伸長フレーム部材２２の頂部と下方伸長フレーム部材２２の底部に配置される。同じフレームレール３２は、垂直伸長フレーム部材２４上の外側に位置付けられる。
【００１４】
伸長リテイナーが図４に示されている。このリテイナー３６は、基板３８を含む。伸長フランジ４０は、基板３８の１端部に沿って位置付けられるとともに、基板３８の面から略６０°の角度で延びている。伸長フランジ４０は、伸長フランジ４０の１側面上の連動面を含む。連動面４２は、伸長フランジ４０と基板３８の面との間の包含された角度内にある。
【００１５】
伸長リテイナー３６は、１側面にリテイナーレール面４６を有するリテイナーレール４４を包含する。リテイナーレール面４６は、また、基板３８の面に対して約９０°の角度で片側にあり、且つフレームの係合面３０の輪郭と一致する輪郭を備えている。
【００１６】
伸長フランジ４０及びリテイナーレール４４に加えて、伸長リテイナー３６は、リテイナーほぞ孔要素４８を画定するように、長さに沿った開口付きの実質的に円形断面の通路を備えている。ほぞ孔要素４８は、ほぞ要素を形成するオフセット円形ビード２０と協働してシート１４に固着されたストリップ１６の縁を掴む。このほぞ孔要素４８は、リテイナー基板３８の伸長フランジ４０およびリテイナーレール４４と反対の縁に配置されている。図２は伸長フレーム部材２２、２４および伸長リテイナー３６の協働状態を図示している。この伸長フランジ４０は、リブ２８間に延び、係合面３０および連動面４２が連動係合位置とされた状態として示されている。この係合状態では、シート１４は緊張しかつほぞ孔要素４８を有する伸長リテイナー３６から離れる方向に延びている。通常、伸長フランジ４０はリブ２８の間に区画されたスロットの何れか１個内に配置されて、シート１４に適当な張力が確保され得る。
【００１７】
図２から観察し得ることは、フレーム２２、２４上の伸長フレームレール面３４は、リテイナー３６上のリテイナーレール面４６から離れる方向に向いていることである。これらの最も近接したレール面３４、４６はツールに適応する。第１ツール５０が図６、７内に図示されている。このツール５０はローラーの２組を回転自在に支持しているフレーム５２を備えている。各組は２個のローラー５４、５６を備えている。各組内のローラー５４、５６はそれらの間にピンチを形成している。フレーム５２は第１ホルダー５８上にローラー５４を搭載しかつ第２ホルダー６０上にローラー５６を搭載している。ホルダー５８、６０は平行なガイドドエル６２、６４および平行調節ねじ６６とを備え、この調節ねじはローラー５４、５６を動かしてピンチを調節するために使用される。ローラー５４、５６は互いに或る角度をなしているように示されている。このことは両ローラーがレール面３４、４６の先端上に載ることを許容している。ローラー５４、５６はこれらの先端を受け入れるための溝を備えている。
【００１８】
２個のピンチローラー５４、５６はシート１４のサイズに適合するようにピンチ上で相互に動かされる。フレーム５２はツール５０がローラー５４、５６のピンチ内にレール面３４、４６を有する時にシート１４を張った状態に置くように調節可能である。シート１４の最終段階にはツール５０が伸長フランジ４０をリブ２８間のスロット内に位置させ得るように、わずかなオーバーテンションが適当である。ツール５０がリブ２８間のスロットの１個内に配置されているフランジ４０と共に次第に前進すると、ツール５０からのテンションが解放されて、係合面３０および連動面４２は連動係合状態になる。
【００１９】
第２ツール６６は図８、９、１０に図示されている。このツール６６は上方ブロック６８と下方ブロック７０とを備え、各々は軸受内にシャフト７２を回転可能に装着している。これらのシャフトはピンチローラー面７４を備えている。両ピンチローラー面７４は対でもって図８内に図示されているように両レールを圧縮するための２個のピンチ領域を創生している。２個のブロック６８、７０を互いに調整可能に装着するために、端部キャップ７６が下方ブロック７０の両端に固着されている。これらの端部キャップ７６は上方へ延び、平面図９内に最も良く見られるように、Ｕ字形ブラケット７８を枢動可能に受け入れている。ブラケット７８は、どちらの端部においても、軸８０周りで小角度だけ枢動可能である。軸８２はブラケット７８の中央部に装着されかつ上方ブロック６８を枢動可能に装着している。このようにして、上方ブロックはピンチローラー面がレールの変化を許容するため交互に閉じおよび開き得るように枢動可能である。更に、上方ブロック６８は、ピンチを緊迫または弛緩するために下方ブロック７０に対して枢動可能である。この動きを制御するために、セットねじ８４がＵ形ブラケット７８から下方ブロック７０へと延びている。セットねじ８４を締めると両ピンチローラー面が引き合う。
【００２０】
操作する際には、準備されたシートはシート１４の４つの外縁周りの伸長リテイナー３６のほぞ孔要素４８内にほぞ要素２０を通すことにより完成される。シート１４の頂部および一側部のリテイナー３６はそれから適当なフレーム２２、２４上のリブ２８間の適当なスロット内に配置される。ツール５０または６６はそれから下方フレーム部材２２上のレール３２、４４上に配置される。伸長フランジ４０はそれから２個のリブ２８の間のスロット内に配置され、下方フレーム部材２２の全長にわたり次第に引かれる。同様な操作が、それから、フレーム部材２４に関して自由端に対して行われる。シートは同様な方法で取り外すことができ、その時レール３２、４４はツール５０のピンチ内で互いに相手側へ圧縮され、一方、リテイナー３６は関連するフレーム部材２２、２４から離れる方向へ引かれる。
【００２１】
このように、大きいシート材料のための改良された装着システムが開示されている。本発明の実施例および適用例が示されかつ記述されているが、当業者であれば、ここに示された発明概念から離れることなく多くの変形が可能であることは明らかであろう。
【図面の簡単な説明】
【図１】  取付装置及びその上に取付けられるビニールシートを有するトラックの側面図である。
【図２】  取付装置の伸長リテイナーとともに組み立てられた伸長フレーム部材の端面図である。
【図３】  伸長フレーム部材の端面図である。
【図４】  伸長リテイナーの端面図である。
【図５】  ＲＦ溶接によってシートに結合されたほぞの端面図である。
【図６】  伸長リテイナーを設置するためのツールの前面図である。
【図７】  図６のツールの端面図である。
【図８】  伸長リテイナーを設置するための第２ツールの端面図である。
【図９】  図８のツールの平面図である。
【図１０】  図８のツールの前面図である。
【図１】
0004596716.tif 000002
【図２】
0004596716.tif 000003
【図３】
0004596716.tif 000004
【図４】
0004596716.tif 000005
【図５】
0004596716.tif 000006
【図６】
0004596716.tif 000007
【図７】
0004596716.tif 000008
【図８】
0004596716.tif 000009
【図９】
0004596716.tif 000010
【図１０】
0004596716.tif 000011